(57)【要約】  回転軸線１２の周りに相対的に回転する太陽歯車部材１４及び内歯車部材１６と、これらと噛合する遊星歯車部材１８とを有し、太陽歯車部材及び内歯車部材には、それぞれ第一及び第二の回転部材２４及び３０が連結されるよう構成された動力伝達装置１０であって、太陽歯車部材１４及び内歯車部材１６と遊星歯車部材１８とが、回転軸線に沿って相対的に移動され、太陽歯車部材１４及び内歯車部材１６の少なくとも一方と遊星歯車部材１８とが対応する側面にて摩擦係合せしめられて摩擦力が発生されることにより、三つの歯車部材の相対回転が阻止される。
2015020167.tif 000002
【特許請求の範囲】
【請求項１】
回転軸線の周りに相対的に回転する太陽歯車部材及び内歯車部材と、前記太陽歯車部材及び前記内歯車部材と噛合する遊星歯車部材とを有し、前記太陽歯車部材及び前記内歯車部材は、前記回転軸線の周りに回転する第一及び第二の回転部材がそれぞれ連結されるよう構成され、前記三つの歯車部材の相対回転が阻止されることにより、前記第一及び第二の回転部材が直結される動力伝達装置において、
前記太陽歯車部材及び前記内歯車部材の少なくとも一方及び前記遊星歯車部材が、前記回転軸線に沿って互いに他に対し移動され、前記少なくとも一方の歯車部材と前記遊星歯車部材とが対応する側面にて摩擦係合せしめられて相対回転が阻止されることにより、前記三つの歯車部材の相対回転が阻止されるように構成された、
動力伝達装置。
【請求項２】
請求項１に記載の動力伝達装置において、前記太陽歯車部材及び前記内歯車部材と前記遊星歯車部材とが、前記回転軸線に沿って互いに他に対し移動され、前記太陽歯車部材及び前記内歯車部材と前記遊星歯車部材とが対応する側面にて摩擦係合せしめられて相対回転が阻止されるように構成された、動力伝達装置。
【請求項３】
請求項１に記載の動力伝達装置において、前記内歯車部材及び前記遊星歯車部材と前記太陽歯車部材とが、前記回転軸線に沿って互いに他に対し移動され、前記太陽歯車部材と前記内歯車部材とが対応する側面にて摩擦係合せしめられると共に、前記太陽歯車部材と前記遊星歯車部材とが対応する側面にて摩擦係合せしめられるように構成された、動力伝達装置。
【請求項４】
請求項１に記載の動力伝達装置において、前記太陽歯車部材及び前記遊星歯車部材と前記内歯車部材とが、前記回転軸線に沿って互いに他に対し移動され、前記内歯車部材と前記太陽歯車部材とが対応する側面にて摩擦係合せしめられると共に、前記内歯車部材と前記遊星歯車部材とが対応する側面にて摩擦係合せしめられるように構成された、動力伝達装置。
【発明の詳細な説明】
【技術分野】
【０００１】
本発明は、動力伝達装置に係り、更に詳細には遊星歯車機構を含む動力伝達装置に係る。
【背景技術】
【０００２】
動力伝達装置として、動力の伝達経路を変化させたり動力の伝達を遮断させたりするために、遊星歯車機構を含む動力伝達装置が使用されている。例えば、下記の特許文献１には、内燃機関の駆動力を発電機及び駆動輪へ伝達すると共に、発電機にて発電された電力を電動機に供給しながら駆動輪を駆動するハイブリッド車両において、遊星歯車機構を含む動力伝達装置を使用することが記載されている。
【先行技術文献】
【特許文献】
【０００３】
【特許文献１】特開２０００−６６７６号公報
【発明の概要】
【０００４】
〔発明が解決しようとする課題〕
上記公開公報に記載された動力伝達装置においては、内歯車部材と遊星歯車部材のキャリア部材とが相対回転しないようロックされることにより、内燃機関の駆動力が入力される入力軸と駆動輪へ駆動力を出力する出力軸とが直結状態にもたらされるようになっている。
【０００５】
周知のように、遊星歯車機構においては、遊星歯車部材は太陽歯車部材及び内歯車部材と噛合し、回転軸線の周りに公転可能であると共に自転軸線の周りに自転可能であるようキャリア部材によって支持されている。よって、太陽歯車部材と、内歯車部材と、遊星歯車部材及びキャリア部材とは、互いに他に対し相対的に回転運動する。
【０００６】
しかるに、上記公開公報に記載された動力伝達装置においては、回転軸線の周りに相対的に回転する内歯車部材とキャリア部材との組合せについてしか相対回転が阻止されない。そのため、動力伝達装置を直結状態にもたらすためには、内歯車部材とキャリア部材とを強い押圧力にて押圧し、それらの摩擦係合部にて高い制動力を発生させなければならない。従って、内歯車部材及びキャリア部材を摩擦係合させるためのアクチュエータ及び摩擦係合部の摩擦係合面積が大きくなる。その結果、動力伝達装置が大型になることが避けられない。
【０００７】
本発明は、遊星歯車機構を含む従来の動力伝達装置に於ける上述の如き問題に鑑みてなされたものであり、本発明の主要な課題は、従来に比して小型の動力伝達装置を提供することである。
【０００８】
〔課題を解決するための手段及び発明の効果〕
上述の主要な課題は、本発明によれば、回転軸線の周りに相対的に回転する太陽歯車部材及び内歯車部材と、太陽歯車部材及び内歯車部材と噛合する遊星歯車部材とを有し、太陽歯車部材及び内歯車部材は、回転軸線の周りに回転する第一及び第二の回転部材がそれぞれ連結されるよう構成され、三つの歯車部材の相対回転が阻止されることにより、第一及び第二の回転部材が直結される動力伝達装置において、太陽歯車部材及び内歯車部材の少なくとも一方及び遊星歯車部材が、回転軸線に沿って互いに他に対し移動され、少なくとも一方の歯車部材と遊星歯車部材とが対応する側面にて摩擦係合せしめられて相対回転が阻止されることにより、三つの歯車部材の相対回転が阻止されるように構成された、動力伝達装置によって達成される。
【０００９】
上記の構成によれば、太陽歯車部材及び内歯車部材の少なくとも一方と遊星歯車部材とが対応する側面にて摩擦係合せしめられて相対回転が阻止される。遊星歯車部材は、上記少なくとも一方の歯車部材に対し回転軸線の周りに公転すると共に、回転軸線と平行な軸線の周りに自転する。よって、それらの部材の摩擦係合のための押圧力を高くしなくても公転及び自転の両者による摩擦係合によって高い摩擦力を発生させることができる。従って、公転による摩擦係合のみによって摩擦力が発生される従来の動力伝達装置に比して、押圧力を発生するアクチュエータを小型化し、摩擦係合部の面積を小さくすることができるので、動力伝達装置を小型化することができる。
【００１０】
また、本発明によれば、太陽歯車部材及び内歯車部材の一方と遊星歯車部材とが対応する側面にて摩擦係合せしめられて相対回転が阻止されると、太陽歯車部材及び内歯車部材の他方の回転も停止する。よって、太陽歯車部材及び内歯車部材の他方と遊星歯車部材とが対応する側面にて摩擦係合せしめられなくてもよい。
【００１１】
また本発明によれば、上記の構成に於いて、太陽歯車部材及び内歯車部材と遊星歯車部材とが、回転軸線に沿って互いに他に対し移動され、太陽歯車部材及び内歯車部材と遊星歯車部材とが対応する側面にて摩擦係合せしめられて相対回転が阻止されるように構成されてよい。
【００１２】
上記の構成によれば、太陽歯車部材と遊星歯車部材とが対応する側面にて摩擦係合すると共に、内歯車部材と遊星歯車部材とが対応する側面にて摩擦係合する。従って、太陽歯車部材及び内歯車部材の一方と遊星歯車部材とが対応する側面にて摩擦係合するが、太陽歯車部材及び内歯車部材の他方と遊星歯車部材とが対応する側面にて摩擦係合しない構造の場合に比して、摩擦係合部の数を多くすることができる。また、遊星歯車部材は、太陽歯車部材及び内歯車部材の何れとの摩擦係合においても、公転及び自転の両者による摩擦係合によって高い摩擦力を発生する。よって、遊星歯車部材が太陽歯車部材及び内歯車部材の一方としか摩擦係合しない場合に比して、動力伝達装置を一層小型化することができる。
【００１３】
なお、この構成においては、太陽歯車部材及び内歯車部材の両者が遊星歯車部材の一方の側面に摩擦係合するようになっていてよい。例えば、動力伝達装置の径方向内方部において太陽歯車部材が遊星歯車部材の一方の側面に摩擦係合し、動力伝達装置の径方向外方部において内歯車部材が遊星歯車部材の一方の側面と摩擦係合するようになっていてもよい。しかし、遊星歯車部材は、回転軸線に沿う方向において太陽歯車部材と内歯車部材との間に位置し、太陽歯車部材及び内歯車部材はそれぞれ遊星歯車部材の一方の側面及び他方の側面と摩擦係合するようになっていることが好ましい。
【００１４】
また、本発明によれば、上記の構成に於いて、内歯車部材及び遊星歯車部材と太陽歯車部材とが、回転軸線に沿って互いに他に対し移動され、太陽歯車部材と内歯車部材とが対応する側面にて摩擦係合せしめられると共に、太陽歯車部材と遊星歯車部材とが対応する側面にて摩擦係合せしめられるように構成されてよい。
【００１５】
上記の構成によれば、太陽歯車部材と内歯車部材とが対応する側面にて摩擦係合すると共に、太陽歯車部材と遊星歯車部材とが対応する側面にて摩擦係合する。よって、太陽歯車部材に対する遊星歯車部材の公転及び自転の両者による摩擦係合によって高い摩擦力を発生させることができると共に、太陽歯車部材及び内歯車部材の相対回転による摩擦係合によっても摩擦力を発生させることができる。従って、太陽歯車部材と遊星歯車部材とが対応する側面にて摩擦係合するが、太陽歯車部材と内歯車部材とが対応する側面にて摩擦係合しない構造の場合に比して、高い摩擦力を発生させることができる。
【００１６】
なお、この構成においては、内歯車部材及び遊星歯車部材の両者が太陽歯車部材の一方の側面に摩擦係合するようになっていてよい。例えば、動力伝達装置の径方向内方部において遊星歯車部材が太陽歯車部材の一方の側面に摩擦係合し、動力伝達装置の径方向外方部において内歯車部材が太陽歯車部材の一方の側面と摩擦係合するようになっていてもよい。しかし、太陽歯車部材は、回転軸線に沿う方向において内歯車部材と遊星歯車部材との間に位置し、内歯車部材と遊星歯車部材はそれぞれ太陽歯車部材の一方の側面及び他方の側面と摩擦係合するようになっていることが好ましい。
【００１７】
また、本発明によれば、上記の構成に於いて、太陽歯車部材及び遊星歯車部材と内歯車部材とが、回転軸線に沿って互いに他に対し移動され、内歯車部材と太陽歯車部材とが対応する側面にて摩擦係合せしめられると共に、内歯車部材と遊星歯車部材とが対応する側面にて摩擦係合せしめられるように構成されてよい。
【００１８】
上記の構成によれば、内歯車部材と遊星歯車部材とが対応する側面にて摩擦係合すると共に、内歯車部材と太陽歯車部材とが対応する側面にて摩擦係合する。よって、内歯車部材に対する遊星歯車部材の公転及び自転の両者による摩擦係合によって高い摩擦力を発生させることができると共に、内歯車部材及び太陽歯車部材の相対回転による摩擦係合によっても摩擦力を発生させることができる。従って、内歯車部材と遊星歯車部材とが対応する側面にて摩擦係合するが、内歯車部材と太陽歯車部材とが対応する側面にて摩擦係合しない構造の場合に比して、高い摩擦力を発生させることができる。
【００１９】
なお、この構成においては、太陽歯車部材及び遊星歯車部材の両者が内歯車部材の一方の側面に摩擦係合するようになっていてよい。例えば、動力伝達装置の径方向内方部において太陽歯車部材が内歯車部材の一方の側面に摩擦係合し、動力伝達装置の径方向外方部において遊星歯車部材が内歯車部材の一方の側面と摩擦係合するようになっていてもよい。しかし、内歯車部材は、回転軸線に沿う方向において太陽歯車部材と遊星歯車部材との間に位置し、太陽歯車部材及び遊星歯車部材はそれぞれ内歯車部材の一方の側面及び他方の側面と摩擦係合するようになっていることが好ましい。
【図面の簡単な説明】
【００２０】
【図１】本発明の第一の実施形態にかかる動力伝達装置を、回転軸線を通る切断面にて切断して示す部分断面図である。
【図２】第一の実施形態を図１の右方より見た部分正面図である。
【図３】第一の実施形態の通電装置を示す拡大部分断面図である。
【図４】本発明の第二の実施形態にかかる動力伝達装置を、回転軸線を通る切断面にて切断して示す部分断面図である。
【図５】本発明の第三の実施形態にかかる動力伝達装置を、回転軸線を通る切断面にて切断して示す部分断面図である。
【発明を実施するための形態】
【００２１】
以下に添付の図を参照しつつ、本発明を好ましい実施形態について詳細に説明する。
【００２２】
［第一の実施形態］
図１は、本発明の第一の実施形態にかかる動力伝達装置１０を、回転軸線を通る切断面にて切断して示す部分断面図、図２は、第一の実施形態を図１の右方より見た部分正面図である。なお、図１は、図２のI−Iに沿う断面図である。
【００２３】
図１において、動力伝達装置１０は、回転軸線１２の周りに相対的に回転する太陽歯車部材１４及び内歯車部材１６と、太陽歯車部材１４及び内歯車部材１６と噛合し回転軸線１２の周りに均等に隔置された四つの遊星歯車部材１８とを有している。太陽歯車部材１４は、回転軸線１２に垂直に回転軸線１２の周りに延在する円環板状部１４Ｄと、該円環板状部１４の内周部と一体をなすベース部１４Ｂとを有している。ベース部１４Ｂの径方向内側には、回転軸線１２に沿って延在する外側中空回転体２０が配置されている。
【００２４】
ベース部１４Ｂの内周面及びこれに径方向に対向する外側中空回転体２０の外面には、回転軸線１２に沿って延在し径方向に互いに対向するキー溝が設けられ、それらのキー溝にはキー２２が嵌め込まれている。太陽歯車部材１４は、外側中空回転体２０と一体的に回転軸線１２の周りに回転可能であると共に、外側中空回転体２０に対し回転軸線１２に沿って移動可能である。よって、外側中空回転体２０は、太陽歯車部材１４と一体的に回転するので、遊星歯車部材１８及び内歯車部材１６との相対回転について見ると、太陽歯車部材１４の一部として機能する。
【００２５】
外側中空回転体２０には、回転軸線１２に垂直に回転軸線１２の周りに延在するフランジ２０Ｆが設けられている。フランジ２０Ｆには回転軸線１２の周りに均等に隔置された複数のボルト２２により、回転軸線１２の周りに回転する第一の回転部材としての入力回転部材２４が連結されるようになっている。図示の実施形態においては、フランジ２０Ｆは外側中空回転体２０と一体に形成されているが、フランジ２０Ｆは外側中空回転体２０と別体に形成され、ボルトのような連結手段によって外側中空回転体２０と一体的に連結されてもよい。
【００２６】
内歯車部材１６は、回転軸線１２に垂直に回転軸線１２の周りに延在するディスク部１６Ａと、ディスク部１６Ａの外周部と一体的に接続され回転軸線１２に沿って延在する円筒部１６Ｂとを有している。ディスク部１６Ａの内周部は内側中空回転体２６と一体的に接続されており、内側中空回転体２６は、外側中空回転体２０の径方向内側にて回転軸線１２に沿って延在している。ディスク部１６Ａには、回転軸線１２の周りに互いに９０°隔置された４本のボルト２８及びこれに螺合する図には示されていないナットにより、回転軸線１２の周りに回転する第二の回転部材としての出力回転部材３０が連結されるようになっている。
【００２７】
外側中空回転体２０と内側中空回転体２６との間には、回転軸線１２に沿って互いに隔置された一対のボールベアリング３２が配置されている。一対のボールベアリング３２と外側中空回転体２０と内側中空回転体２６との間の空間は、グリースの如き潤滑剤にて充填されている。一対のボールベアリング３２に対し軸線方向両側には一対のシール部材３４が配置されており、シール部材３４は、ボールベアリング３２に粉塵や泥水が侵入しないよう外側中空回転体２０と内側中空回転体２６との間をシールしている。
【００２８】
四つの遊星歯車部材１８は、太陽歯車部材１４の円環板状部１４Ｄと内歯車部材１６のディスク部１６Ａとの間に配置されており、各遊星歯車部材１８は、回転軸線１２に平行な軸線３６を中心とする実質的に円板状をなしている。各遊星歯車部材１８は、ディスク部１６Ａの側の側面に摩擦部３８Ｒを有し、円環板状部１４Ｄの側の側面に摩擦部３８Ｌを有している。各摩擦部は、遊星歯車部材の円板状の本体の側面より隆起した状態で軸線３６の周りに環帯状に延在している。なお、遊星歯車部材１８が例えば粉末焼結法によって製造されることにより、摩擦部は円板状の本体と一体に形成されてよい。また、摩擦部は、環帯状の摩擦材が本体の側面に接着又は他の手段により固定されることにより形成されてもよい。
【００２９】
太陽歯車部材１４の円環板状部１４Ｄの内面（即ち、遊星歯車部材１８の一方の側面と対向する面）は、遊星歯車部材１８の摩擦部３８Ｌと摩擦係合可能な摩擦面１４Ｓを有し、円環板状部１４Ｄの外面は平滑である。内歯車部材１６のディスク部１６Ａの内面（即ち、遊星歯車部材１８の他方の側面と対向する面）は、遊星歯車部材１８の摩擦部３８Ｒと摩擦係合可能な摩擦面１６Ｓを有している。
【００３０】
各遊星歯車部材１８は、外周部に平歯の外歯車４０を有している。外歯車４０は、動力伝達装置１０の径方向外側において内歯車部材１６の円筒部１６Ｂの内面に形成された平歯の内歯車４２と噛合し、動力伝達装置１０の径方向内側において太陽歯車部材１４のベース部１４Ｂの外面に形成された平歯の外歯車４４と噛合している。よって、太陽歯車部材１４が回転軸線１２の周りに回転すると、各遊星歯車部材１８は軸線３６の周りに自転しつつ、回転軸線１２の周りに公転する。これにより、内歯車部材１６は、太陽歯車部材１４に対し回転軸線１２の周りに太陽歯車部材とは逆の方向へ回転する。
【００３１】
太陽歯車部材１４の円環板状部１４Ｄは、回転軸線１２の周りに全周に亘り延在し径方向外方へ開いた環状溝４６を有している。環状溝４６にはソレノイド４８が配置されており、ソレノイド４８は回転軸線１２の周りに環状に延在している。また、太陽歯車部材１４には、環状溝４６よりも径方向内側の位置にて径方向に互いに隔置された通電装置５０及び５２が設けられている。太陽歯車部材１４及び内歯車部材１６は、常磁性を有する金属材料にて形成されている。遊星歯車部材１８は常磁性を有する金属材料及び常磁性を有しない金属材料の何れにて形成されてもよい。
【００３２】
図３に詳細に示されているように、通電装置５０及び５２は、回転軸線１２に沿って延在するシリンダ孔５４及び５６と、シリンダ孔に嵌合する円柱状のピストン５８及び６０と、これらのピストンを静止部材６２へ向けて付勢する圧縮コイルばね６４及び６６とを有している。ピストン５８及び６０は導電体にて形成されているが、それらの円筒状の外周面は電気絶縁材にてコーティングされている。
【００３３】
静止部材６２の通電装置５０及び５２に対向する部分には、それぞれ導電体６８及び７０が固定されている。導電体６８及び７０は、対応するピストン５８及び６０に対向する部分を除き、電気絶縁材７２にて電気的に絶縁されている。導電体６８、７０及び電気絶縁材７２は、回転軸線１２の周りに環状に延在している。ピストン５８及び６０の外端は、それぞれ導電体６８及び７０に通電可能に当接しており、これらのピストンの内端はそれぞれ導線７４及び７６によりソレノイド４８に接続されている。通電装置５０及び５２を介して行われるソレノイド４８に対する通電は、図には示されていない電子制御装置によって制御される。
【００３４】
ソレノイド４８に制御電流が通電されていないときには、ソレノイドはディスク部１６Ａに対し電磁的な吸引力を発生しないので、太陽歯車部材１４の円環板状部１４Ｄは、遊星歯車部材１８をディスク部１６Ａに対し押圧しない。よって、太陽歯車部材１４、内歯車部材１６及び遊星歯車部材１８は、遊星歯車機構を構成する歯車部材として相対回転するが、それらの摩擦部及び摩擦面は摩擦係合しない。従って、摩擦係合による摩擦力は発生しないので、各部材の相対回転運動を減速させて停止させる作用も生じない。
【００３５】
なお、内歯車部材１６は太陽歯車部材１４及び外側中空回転体２０に対し回転軸線１２の周りに逆方向へ回転し、遊星歯車部材１８は内歯車部材１６及び太陽歯車部材１４上を転動することにより回転軸線１２の周りに公転しつつ軸線３６の周りに自転する。よって、入力回転部材２４の回転運動が、各歯車部材の歯数比により決定される変速比にて変速されて出力回転部材３０へ伝達され、入力回転部材２４の回転トルクが、変速比の逆数のトルク伝達比にて出力回転部材３０へ伝達される。
【００３６】
これに対し、ソレノイド４８に制御電流が通電されると、ソレノイドはディスク部１６Ａに対し電磁的な吸引力を発生する。ソレノイド４８の吸引力は、太陽歯車部材１４の円環板状部１４Ｄを遊星歯車部材１８に対し押圧し、遊星歯車部材１８を内歯車部材１６のディスク部１６Ａに対し押圧する。
【００３７】
よって、太陽歯車部材１４の円環板状部１４Ｄの摩擦面１４Ｓと遊星歯車部材１８の摩擦部３８Ｌとが摩擦係合し、遊星歯車部材１８の摩擦部３８Ｒとディスク部１６Ａの摩擦面１６Ｓとが摩擦係合し、それらの間に摩擦力が発生する。これらの摩擦力は、ソレノイド４８の電磁的な吸引力が高くなるほど高くなる。その結果、太陽歯車部材１４、内歯車部材１６及び遊星歯車部材１８は相対的に回転しなくなって、一体的に回転軸線１２の周りに回転するようになる。従って、入力回転部材２４及び出力回転部材３０は直結される。
【００３８】
以上の説明から解るように、第一の実施形態においては、太陽歯車部材１４及び遊星歯車部材１８が、内歯車部材１６に対し回転軸線１２に沿って移動される。そして、太陽歯車部材１４及び内歯車部材１６と遊星歯車部材１８とが、それらの側面にて摩擦係合せしめられて相対回転が阻止され、これにより三つの歯車部材１６の相対回転が阻止される。
【００３９】
特に、第一の実施形態によれば、遊星歯車部材１８は、太陽歯車部材１４及び内歯車部材１６に対し回転軸線１２の周りに公転すると共に、太陽歯車部材１４及び内歯車部材１６に対し軸線３６の周りに自転する。よって、公転による相対運動の摩擦力に加えて、自転による相対運動の摩擦力が発生する。従って、公転による相対運動の摩擦力しか発生しない場合に比して、低い押圧力にて効率的に三つの歯車部材の相対回転を阻止することができる。
【００４０】
特に、この第一の実施形態においては、遊星歯車部材１８は、両側の側面にて太陽歯車部材１４の円環板状部１４Ｄの摩擦面１４Ｓ及び内歯車部材１６のディスク部１６Ａの摩擦面１６Ｓと摩擦係合する。つまり、２組の部材の間で摩擦係合が生じ、２組の部材の一方は遊星歯車部材１８である。よって、遊星歯車部材１８が片側においてのみ他の歯車部材と摩擦係合する場合に比して、三つの歯車部材の相対回転を阻止するための摩擦力を高くすることができる。
【００４１】
［第二の実施形態］
図４に示された第二の実施形態にかかる動力伝達装置１０は、太陽歯車部材１４、内歯車部材１６及び四つの遊星歯車部材１８に加えて、キャリア部材７８を有している。しかし、後に詳細に説明するように、キャリア部材７８は入力回転部材２４と一体的に回転軸線１２の周りに回転し、他の部材とは摩擦係合しない。
【００４２】
この第二の実施形態においては、キャリア部材７８は、内歯車部材１６のディスク部１６Ａから回転軸線１２に沿って隔置されている。キャリア部材７８は、回転軸線１２に垂直に回転軸線１２の周りに延在する円環板状部７８Ｄと、円環板状部７８Ｄの内周部と一体的に形成された円筒部７８Ｃとを有している。円筒部７８Ｃは、外側中空回転体２０の周りに嵌合し外側中空回転体に圧入又は他の手段により固定されている。よって、キャリア部材７８は、外側中空回転体２０及びこれに連結された入力回転部材２４と共に一体的に回転軸線１２の周りに回転する。換言すれば、外側中空回転体２０は、キャリア部材７８と一体的に回転するので、太陽歯車部材１４、内歯車部材１６及び遊星歯車部材１８との相対回転について見ると、キャリア部材７８の一部として機能する。
【００４３】
太陽歯車部材１４及び遊星歯車部材１８は、キャリア部材７８の円環板状部７８Ｄと内歯車部材１６のディスク部１６Ａとの間に配置され、それぞれディスク部１６Ａ及び円環板状部７８Ｄに隣接し且つ互いに隣接している。キャリア部材７８の円環板状部７８Ｄには、回転軸線１２と平行な軸線３６に整合して延在し円形の横断面を有するピン９８が圧入又は他の手段により固定されている。ピン９８は、遊星歯車部材１８を軸線３６の周りに回転可能に且つ軸線３６に沿って相対変位可能に支持している。遊星歯車部材１８及びキャリア部材７８の円環板状部７８Ｄの互いに対向する側面は、摩擦係合しないよう平滑に加工されている。
【００４４】
太陽歯車部材１４の径方向内側には、軸線１２に沿って延在する円筒状の回転体１００が配置されており、回転体１００はボールベアリング１０２を介してキャリア部材７８の円筒部７８Ｃにより回転軸線１２の周りに回転可能に支持されている。太陽歯車部材１４のベース部１４Ｂの内周面及びこれに径方向に対向する回転体１００の外面には、回転軸線１２に沿って延在するキー溝が設けられ、それらのキー溝にはキー２２が嵌め込まれている。よって、太陽歯車部材１４は、回転体１００と一体的に回転軸線１２の周りに回転可能であると共に、回転体１００、キャリア部材７８などに対し回転軸線１２に沿って移動可能である。
【００４５】
太陽歯車部材１４の円環板状部１４Ｄは、内歯車部材１６のディスク部１６Ａと対向する側面に摩擦面１４ＳＯを有し、摩擦面１４ＳＯはディスク部１６Ａの摩擦面１６Ｓと摩擦係合可能である。また、円環板状部１４Ｄは、遊星歯車部材１８と対向する側面に摩擦面１４ＳＩを有し、摩擦面１４ＳＩは遊星歯車部材１８の摩擦部３８Ｒと摩擦係合可能である。太陽歯車部材１４のベース部１４Ｂ及びキャリア部材７８の互いに対向する面は、摩擦係合しないよう平滑に加工されている。
【００４６】
第一の実施形態と同様に、太陽歯車部材１４には通電装置５０及び５２が設けられている。しかし、通電装置５０及び５２はキャリア部材７８に対向しており、図４には示されていないが、第一の実施形態における導電体６８、７０及び電気絶縁材７２と同様の一対の導電体及び電気絶縁材がキャリア部材７８に設けられている。なお、図４には示されていないが、キャリア部材７８の外面に近接する静止部材には、該静止部材からキャリア部材７８に設けられ一対の導電体へ通電するための一対の通電装置が設けられている。キャリア部材７８の外面部には、一対の通電装置に対向する位置に導電体６８、７０及び電気絶縁材７２と同様の導電体及び電気絶縁材が設けられている。
【００４７】
この実施形態においては、ソレノイド４８に制御電流が通電されても、キャリア部材７８はソレノイド４８の電磁的な吸引力によって吸引されない方がよい。よって、太陽歯車部材１４、内歯車部材１６及び遊星歯車部材１８は、常磁性を有する金属材料にて形成されているが、キャリア部材７８は常磁性を有しない金属材料にて形成されている。この実施形態の他の点は、第一の実施形態と同様に構成されている。
【００４８】
ソレノイド４８に制御電流が通電されていないときには、ソレノイド４８は電磁的な吸引力を発生しない。よって、内歯車部材１６のディスク部１６Ａ及び遊星歯車部材１８は吸引されないので、太陽歯車部材１４の円環板状部１４Ｄはディスク部１６Ａに対し押圧されず、遊星歯車部材１８は円環板状部１４Ｄに対し押圧されない。
【００４９】
従って、太陽歯車部材１４、内歯車部材１６及び遊星歯車部材１８は、遊星歯車機構を構成する歯車部材として、第一の実施形態の場合と同様に相対的に回転する。遊星歯車部材１８は、キャリア部材７８に対し回転軸線１２の周りに公転しないが、キャリア部材７８に対し軸線３６の周りに回転しつつ、キャリア部材７８と共に回転軸線１２の周りに回転する。しかし、それらの摩擦面は摩擦係合しないので、各部材は摩擦係合による摩擦力を受けることなく相対的に回転する。よって、第一の実施形態と同様に、入力回転部材２４から出力回転部材３０へ回転トルクが伝達される。
【００５０】
これに対し、ソレノイド４８に制御電流が通電されると、ソレノイド４８り電磁的な吸引力が発生される。ソレノイド４８の吸引力は、内歯車部材１６のディスク部１６Ａ及び遊星歯車部材１８を吸引するので、太陽歯車部材１４の円環板状部１４Ｄはディスク部１６Ａに対し押圧され、遊星歯車部材１８は円環板状部１４Ｄに対し押圧される。
【００５１】
よって、太陽歯車部材１４の円環板状部１４Ｄの摩擦面１４ＳＯと内歯車部材１６のディスク部１６Ａの摩擦面１６Ｓとが摩擦係合し、遊星歯車部材１８の摩擦部３８Ｒと円環板状部１４Ｄの摩擦面１４ＳＩとが摩擦係合する。その結果、太陽歯車部材１４、内歯車部材１６、遊星歯車部材１８及びキャリア部材７８は相対的に回転しなくなって、一体的に回転軸線１２の周りに回転するようになる。従って、入力回転部材２４及び出力回転部材３０は直結される。
【００５２】
以上の説明より解るように、第二の実施形態によれば、太陽歯車部材１４と遊星歯車部材１８とが、それらの対向する側面にて摩擦係合せしめられると共に、太陽歯車部材１４と内歯車部材１６とが、それらの対向する側面にて摩擦係合せしめられる。つまり、第二の実施形態においても、２組の部材の間で摩擦係合が生じる。そして、太陽歯車部材１４と遊星歯車部材１８との摩擦係合は、上記第一の実施形態の場合と同様に、遊星歯車部材１８の自転運動及び太陽歯車部材１４に対する公転運動に伴う摩擦係合である。よって、第二の実施形態によれば、公転による相対運動の摩擦力しか発生しない場合及び遊星歯車部材１８が片側において太陽歯車部材１４と摩擦係合するものの、太陽歯車部材１４と内歯車部材１６とが摩擦係合しない場合に比して、低い押圧力にて効率的に三つの歯車部材の相対回転を阻止することができる。
【００５３】
［第三の実施形態］
図５に示された第三の実施形態においては、後に詳細に説明するように、内歯車部材１６が四つの遊星歯車部材１８と対応する側面にて摩擦係合すると共に、太陽歯車部材１４と共働してその一部として機能する部分と対応する側面にて摩擦係合する。
【００５４】
この実施形態の太陽歯車部材１４は、回転軸線１２に沿って延在する実質的に円筒状をなしており、一端（図５で見て右端）においてボールベアリング８０を介して内歯車部材１６の内周部を回転軸線１２の周りに回転可能に支持している。太陽歯車部材１４の他端には、径方向外方へ突出するフランジ１４Ｆが一体的に形成されている。フランジ１４Ｆには、回転軸線１２の周りに均等に隔置された複数のボルト２２により第一の回転部材としての入力回転部材２４が連結されるようになっている。図示の実施形態においては、フランジ１４Ｆは太陽歯車部材１４と一体に形成されているが、フランジ１４Ｆは太陽歯車部材１４と別体に形成され、ボルトのような連結手段によって太陽歯車部材１４と一体的に連結されてもよい。
【００５５】
太陽歯車部材１４の内周面及びこれに径方向に対向する中空回転部材８２のスリーブ部８２Ａの外面には、回転軸線１２に沿って延在し互いに対向するキー溝が設けられ、それらのキー溝にはキー８４が嵌め込まれている。中空回転部材８２は、太陽歯車部材１４に対し回転軸線１２に沿って変位可能であるが、太陽歯車部材１４に対し回転軸線１２の周りに変位不能である。スリーブ部８２Ａの一端（図５で見て左端）には、太陽歯車部材１４が図５で見て左方へスリーブ部８２Ａに対し過剰に変位することを阻止するロックナット８６が螺合により固定されている。
【００５６】
第一の実施形態と同様に、各遊星歯車部材１８の外歯車４０は、径方向外側にて内歯車部材１６の円筒部１６Ｂの内面に形成された内歯車４２と噛合し、径方向内側にて太陽歯車部材１４の外周面に形成された外歯車４４と噛合している。よって、各遊星歯車部材１８は、回転軸線１２と平行な軸線３６に沿って太陽歯車部材１４及び内歯車部材１６に対し変位可能であると共に、軸線３６の周りに回転（自転）可能である。
【００５７】
各遊星歯車部材１８は、内歯車部材１６に対向する内側の側面に摩擦部３８を有しており、摩擦部３８は内歯車部材１６のディスク部１６Ａの内面の摩擦面１６ＳＩと摩擦係合し得るようになっている。太陽歯車部材１４の外周部及び内歯車部材１６の円筒部１６Ｂの内周部には、遊星歯車部材１８に対し内歯車部材１６とは反対の側に、それぞれＣリング８８及び９０が固定されている。Ｃリング８８及び９０は、遊星歯車部材１８が太陽歯車部材１４及び内歯車部材１６に対し内歯車部材１６のディスク部１６Ａから過剰に離れる方向へ移動することを阻止する。
【００５８】
中空回転部材８２のスリーブ部８２Ａの他端には、回転軸線１２に垂直に回転軸線１２の周りに延在するフランジ８２Ｆが一体に設けられている。フランジ８２Ｆの内面は、内歯車部材１６のディスク部１６Ａの内周部の外面に設けられた摩擦面１６ＳＯと摩擦係合可能な摩擦面８２ＦＳを有している。ディスク部１６Ａの外面側には、回転軸線１２の周りに９０°隔置された状態にて四つのボルト孔９２が設けられている。図５には示されていないボルトが各ボルト孔９２にねじ込まれることにより、第二の回転部材としての出力回転部材３０が内歯車部材１６に一体的に連結されるようになっている。
【００５９】
内歯車部材１６のディスク部１６Ａは、回転軸線１２の周りに全周に亘り延在し径方向外方へ開いた環状溝９４を有している。環状溝９４にはソレノイド９６が配置されており、ソレノイド９６は回転軸線１２の周りに環状に延在している。内歯車部材１６のソレノイド９６よりも径方向内側の部分には、第一の実施形態における通電装置５０及び５２と同様の通電装置５０及び５２が設けられている。
【００６０】
図５には示されていないが、中空回転部材８２のフランジ８２Ｆには、第一の実施形態における導電体６８、７０及び電気絶縁材７２と同様の導電体及び電気絶縁材が設けられている。また、図５には示されていないが、フランジ８２Ｆの外面に近接する静止部材には、該静止部材から通電装置５０及び５２へ通電するための一対の通電装置が設けられており、フランジ８２Ｆの外面部には、導電体６８、７０及び電気絶縁材７２と同様の導電体及び電気絶縁材が設けられている。なお、内歯車部材１６、遊星歯車部材１８及びフランジ８２Ｆは、常磁性を有する金属材料にて形成されている。
【００６１】
この第三の実施形態においては、ソレノイド９６に制御電流が通電されていないときには、ソレノイドは電磁的な吸引力を発生しない。よって、遊星歯車部材１８及びフランジ８２Ｆは吸引されないので、遊星歯車部材１８は内歯車部材１６のディスク部１６Ａに対し押圧されず、ディスク部１６Ａもフランジ８２Ｆに対し押圧されない。従って、太陽歯車部材１４、内歯車部材１６及び遊星歯車部材１８は、各部材の間の摩擦係合による摩擦力を受けることなく、遊星歯車機構を構成する歯車部材として、第一の実施形態の場合と同様に相対的に回転する。
【００６２】
なお、内歯車部材１６は太陽歯車部材１４及びフランジ８２Ｆに対し回転軸線１２の周りに回転し、遊星歯車部材１８は内歯車部材１６及び太陽歯車部材１４に対し回転軸線１２の周りに公転しつつ軸線３６の周りに自転する。よって、第一の実施形態と同様に、入力回転部材２４から出力回転部材３０へ回転トルクが伝達される。
【００６３】
これに対し、ソレノイド９６に制御電流が通電されると、ソレノイド９６により電磁的な吸引力が発生される。ソレノイド９６の吸引力は、遊星歯車部材１８及びフランジ８２Ｆを吸引するので、遊星歯車部材１８をディスク部１６Ａに対し押圧すると共に、ディスク部１６Ａをフランジ８２Ｆに対し押圧する。この場合、中空回転部材８２は太陽歯車部材１４と一体的に回転するので、遊星歯車部材１８及び内歯車部材１６との相対回転について見ると、フランジ８２Ｆを含む中空回転部材８２は太陽歯車部材１４の一部として機能する。
【００６４】
よって、遊星歯車部材１８の摩擦部３８とディスク部１６Ａの摩擦面１６ＳＩとが摩擦係合し、ディスク部１６Ａの摩擦面１６ＳＯとフランジ８２Ｆの摩擦面８２ＦＳとが摩擦係合し、それらの間に摩擦力が発生する。その結果、太陽歯車部材１４、内歯車部材１６及び遊星歯車部材１８は相対的に回転しなくなって、一体的に回転軸線１２の周りに回転するようになる。従って、入力回転部材２４及び出力回転部材３０は直結される。
【００６５】
なお、この第三の実施形態においては、遊星歯車部材１８は、内歯車部材１６のディスク部１６Ａの摩擦面１６ＳＩとしか摩擦係合しない。しかし、遊星歯車部材１８と内歯車部材１６との摩擦係合は、上記第一及び第二の実施形態の場合と同様に、遊星歯車部材１８の自転運動及び内歯車部材１６に対する公転運動に伴う摩擦係合である。よって、第三の実施形態によれば、公転による相対運動の摩擦力しか発生しない場合に比して、低い押圧力にて効率的に三つの歯車部材の相対回転を阻止することができる。
【００６６】
また、この第三の実施形態においては、遊星歯車部材１８の摩擦部３８とディスク部１６Ａの摩擦面１６ＳＩとが摩擦係合し、ディスク部１６Ａの摩擦面１６ＳＯとフランジ８２Ｆの摩擦面８２ＦＳとが摩擦係合する。つまり、第三の実施形態においても、２組の部材の間で摩擦係合が生じる。よって、ディスク部１６Ａの摩擦面１６ＳＯとフランジ８２Ｆの摩擦面８２ＦＳとが摩擦係合しない場合に比して、三つの歯車部材の相対回転を阻止するための摩擦力を高くすることができる。
【００６７】
以上の説明から解るように、各実施形態によれば、太陽歯車部材１４、内歯車部材１６、遊星歯車部材１８及びキャリア部材７８のうちの二組の部材の間における摩擦係合により、摩擦力が発生され、三つの歯車部材の相対回転が停止される。換言すれば、各組の二つの部材により形成される二つの摩擦係合部により、摩擦力が発生される。
【００６８】
よって、回転軸線１２の周りに相対的に回転する例えば太陽歯車部材１４と内歯車部材１６との間の一つの摩擦係合部により摩擦力が発生される場合に比して、摩擦係合部の数を多くすると共に各摩擦係合部の面積を小さくすることができる。従って、摩擦係合部の数が一つであり摩擦係合部の面積が大きい従来の動力伝達装置に比して、動力伝達装置１０を小型化することができる。
【００６９】
また、遊星歯車部材１８は、歯車部材に対する回転軸線１２の周り公転及び軸線３６の周りの自転の両者の相対運動について摩擦係合、公転及び自転の両者により摩擦力が発生される。よって、遊星歯車部材１８と他の歯車部材とを押圧する力は小さくてよく、押圧力を発生するアクチュエータとして機能するソレノイドも小さくていよい。従って、このことによっても動力伝達装置１０を小型化することができる。
【００７０】
また、アクチュエータとして機能する一つのソレノイドの電磁的吸引力により、太陽歯車部材１４などの複数の部材が吸引され摩擦係合せしめられる。よって、複数の部材が複数のアクチュエータによって押圧され摩擦係合せしめられる場合に比して、動力伝達装置１０の構造を単純化することができると共に、アクチュエータにより消費されるエネルギーに対する摩擦力の比を高くすることができる。よって、このことによっても動力伝達装置１０を小型化することができると共に、動力伝達装置１０の作動に必要なエネルギーを低減することができる。
【００７１】
以上においては、本発明を特定の実施形態について詳細に説明したが、本発明は上述の実施形態に限定されるものではなく、本発明の範囲内にて他の種々の実施形態が可能であることは当業者にとって明らかであろう。
【００７２】
例えば、上述の各実施形態においては、太陽歯車部材１４及び内歯車部材１６にそれぞれ入力回転部材２４及び出力回転部材３０が連結されるようになっている。しかし、太陽歯車部材１４及び内歯車部材１６にそれぞれ出力回転部材及び入力回転部材が連結されてもよい。
【００７３】
また、上述の第二の実施形態においては、遊星歯車部材１８はキャリア部材７８に固定されたピン９８により軸線３６の周りに回転可能に且つ軸線３６に沿って相対変位可能に支持されている。しかし、ピン９８が省略され、キャリア部材７８に相当する部材が遊星歯車部材１８の脱落を防止するよう修正されてもよい。また、キャリア部材７８及びピン９８が省略され、第三の実施形態のＣリング９０などの手段によって遊星歯車部材１８の脱落が防止されるよう修正されてもよい。
【００７４】
更に、上述の各実施形態においては、互いに摩擦係合せしめられる歯車部材及びキャリア部材は、ソレノイドによる電磁力によって回転軸線１２に沿って移動され押圧されるようになっている。しかし、歯車部材及びキャリア部材は、油圧式のアクチュエータのような他の駆動装置によって回転軸線１２に沿って移動され押圧されるようになっていてもよい。
【図１】
2015020167.tif 000003
【図２】
2015020167.tif 000004
【図３】
2015020167.tif 000005
【図４】
2015020167.tif 000006
【図５】
2015020167.tif 000007
【国際調査報告】
2015020167.tif 000008
2015020167.tif 000009